(57)【要約】【課題】  有機廃棄物の微生物分解処理を行うために設けられた処理槽を容易に着脱することが可能なトイレを提供することを課題とする。【解決手段】  本発明は、有機廃棄物を微生物分解処理する分解処理部を備えたトイレ１であって、前記分解処理部が、処理槽２０と、前記処理槽２０内に設けられた多孔質材２２とを用いて構成されており、前記処理槽２０が、前記多孔質材２２を収容可能な処理槽本体部２１と、前記処理槽本体部２１の上方位置に設けられた尿受け部３０とを有することを特徴としている。【選択図】  図１
2007037898.tif 000002
【特許請求の範囲】
【請求項１】
有機廃棄物を微生物分解処理するトイレを構成する際に用いられる処理槽であって、
多孔質材を収容可能な処理槽本体部と、前記処理槽本体部の上方位置に設けられた尿受け部とを備えた
ことを特徴とする処理槽。
【請求項２】
有機廃棄物を微生物分解処理する分解処理部を備えたトイレであって、
前記分解処理部が、処理槽と、前記処理槽内に設けられた多孔質材とを用いて構成されており、
前記処理槽が、前記多孔質材を収容可能な処理槽本体部と、前記処理槽本体部の上方位置に設けられた尿受け部とを有する
ことを特徴とするトイレ。
【請求項３】
有機廃棄物を微生物分解処理する分解処理部を備えたトイレであって、
前記分解処理部が、処理槽と、前記処理槽内に設けられた多孔質材と、前記処理槽の底部に設けられた攪拌翼とを用いて構成され、
前記攪拌翼が、前記処理槽の下方位置に設けられた駆動軸によって回転駆動すべく構成されており、
前記処理槽が、前記多孔質材を収容可能な処理槽本体部と、前記処理槽本体部の上方位置に設けられた尿受け部とを有する
ことを特徴とするトイレ。
【請求項４】
前記攪拌翼に設けられた被駆動軸と前記駆動軸とが着脱可能に構成されており、前記被駆動軸を前記駆動軸から離脱させることによって、前記処理槽を取り外すことが可能である
請求項３に記載のトイレ。
【請求項５】
前記攪拌翼の回転駆動によって前記多孔質材を流動させ、前記処理槽内における前記多孔質材の表面中央部分を凹状にし得る
請求項３または４に記載のトイレ。
【請求項６】
前記処理槽内に、前記多孔質材の流動状態を制御するガイド板が設けられている
請求項３から５のいずれか１項に記載のトイレ。
【発明の詳細な説明】
【技術分野】
【０００１】
本発明は、処理槽およびトイレに関し、詳しくは、介護等のために移動可能であって、室内に設置可能なトイレ、およびこのトイレを構成する際に用いられる処理槽に関するものである。
【背景技術】
【０００２】
介護等に用いるために、室内に設置可能に構成されたトイレは、従来から知られている。このように室内に設置可能に構成されたトイレとしては、近年では、投入された糞尿やトイレットペーパ等の有機廃棄物を微生物分解処理するために、分解処理部を備えたものが多く知られている。（特許文献１参照）
【０００３】
具体的には、上述したようなトイレは、使用者が着座するための便座と、便座の開口部（用便口）から投入された有機廃棄物を微生物分解処理すべく設けられた分解処理部等とを用いて構成されている。分解処理部は、処理槽と、この処理槽内に設けられたおが屑と、おが屑および投入された有機廃棄物を攪拌する攪拌翼等とを用いて構成されている。
【０００４】
以上のように構成されたトイレにおいては、攪拌翼を適宜回転駆動させることによって、おが屑と有機廃棄物との攪拌混合、および微生物の活性化とを効率的に行い、有機廃棄物を微生物分解処理している。
【０００５】
【特許文献１】特開２００１−１２０４６０号公報
【発明の開示】
【発明が解決しようとする課題】
【０００６】
しかしながら、上述した従来技術にかかる室内に設置可能なトイレ（以下、単に「トイレ」ともいう。）には、次のような問題があった。
【０００７】
第一に、従来技術にかかるトイレ（例えば特許文献１に記載のトイレ）においては、攪拌翼の回転軸が処理槽を貫通すべく水平方向に設けられているものが多く、このような構成下にて、処理槽外部の駆動手段から処理槽外部の駆動軸を介して処理槽内部の攪拌翼が回転駆動すべく構成されている。
つまり、このような構成のトイレにおいては、処理槽の取り外しが困難となる。したがって、従来技術においては、処理槽内容物（有機廃棄物およびおが屑）の交換・廃棄、および処理槽の清掃等を容易に行うことができないという問題があった。
また、従来技術は、上述したように処理槽の取り外しが困難であるため、処理槽の取り外しを想定した構造にはなっておらず、処理槽自身にも何ら工夫が見られない。
【０００８】
第二に、上記の通り、従来技術にかかるトイレは、攪拌翼の回転軸が処理槽を貫通すべく水平方向に設けられており、この攪拌翼を駆動させるための駆動手段が処理槽外部に併設される構成である。
つまり、従来技術にかかるトイレは、処理槽と駆動手段とが横並びに設けられた構成であるため、装置の小型化をはかることが困難であるという問題があった。
【０００９】
第三に、上記従来技術にかかるトイレにおいては、回転軸が水平方向に設けられた攪拌翼を用いているため、常に攪拌翼の端部のいずれかの箇所が、処理槽内のおが屑上方位置（おが屑表面）に位置することとなる。場合によっては、攪拌翼の一部がおが屑外に露出する場合もある。
したがって、このような従来技術にかかるトイレにおいては、攪拌翼に付着した有機廃棄物等がおが屑表面に位置したり、おが屑外部に露出したりすることがあるため、悪臭を発生させるおそれがあるという問題があった。
【００１０】
そこで、本発明は、上記従来技術の問題を解決するためになされたものであって、有機廃棄物を微生物分解処理するトイレを構成する際に用いられる、種々の特徴を有する処理槽を提供することを課題とする。また、本発明は、処理槽を容易に着脱することが可能なトイレを提供することを課題とする。さらに、本発明は、装置の小型化を図ることが可能なトイレを提供することを課題とする。また、本発明は、悪臭の発生を低減可能なトイレを提供することを課題とする。
【課題を解決するための手段】
【００１１】
本発明は、上記課題を解決するためになされたものであり、有機廃棄物を微生物分解処理するトイレを構成する際に用いられる処理槽であって、多孔質材を収容可能な処理槽本体部と、前記処理槽本体部の上方位置に設けられた尿受け部とを備えたことを特徴としている。すなわち、本発明にかかる処理槽は、処理槽本体部と尿受け部とが一体的に構成されている。また、この処理槽は、トイレから着脱自在に構成されていることが好ましい。さらに、この処理槽には、トイレからの着脱（装着および離脱）を簡単に行うことができるように、可動式の把手が設けられていることが好ましい。
【００１２】
このような構成によれば、処理槽が処理槽本体部と尿受け部とを有するため（一体的に構成されているため）、トイレから処理槽を取り外すことによって、使用時に汚染される主な部分（処理槽本体部および尿受け部）を簡単に清掃等することができる。また、このような構成にかかる処理槽であれば、尿を尿受け部を介して糞とは異なる箇所（例えば、尿容器）に単独で貯留することが可能となるため、アンモニアの発生が抑制され、悪臭を発生させる可能性を低減することができる。
【００１３】
また、本発明は、上記課題を解決するためになされたものであり、有機廃棄物を微生物分解処理する分解処理部を備えたトイレであって、前記分解処理部が、処理槽と、前記処理槽内に設けられた多孔質材とを用いて構成されており、前記処理槽が、前記多孔質材を収容可能な処理槽本体部と、前記処理槽本体部の上方位置に設けられた尿受け部とを有することを特徴としている。ここで使用される処理槽は、上述したように、処理槽本体部と尿受け部とが一体的に構成されており、トイレから着脱自在に構成されていることが好ましい。また、この処理槽には、トイレからの着脱（装着および離脱）を簡単に行うことができるように、可動式の把手が設けられていることが好ましい。
【００１４】
このような構成によれば、処理槽本体部と尿受け部とが一体的に構成された処理槽をトイレに対して簡単に着脱可能であるため、使用時に汚染される主な部分（処理槽本体部および尿受け部）を簡単に清掃等することができるトイレを得ることが可能となる。また、このような構成にかかるトイレによれば、尿を尿受け部を介して糞とは異なる箇所（例えば、尿容器）に単独で貯留する構成を容易に実現可能であるため、アンモニアの発生が抑制され、悪臭を発生させる可能性を低減することができる。また、例えば、尿容器内に殺菌剤等を混ぜることによって、雑菌による分解を抑えることができる。
【００１５】
また、本発明は、有機廃棄物を微生物分解処理する分解処理部を備えたトイレであって、前記分解処理部が、処理槽と、前記処理槽内に設けられた多孔質材と、前記処理槽の底部に設けられた攪拌翼とを用いて構成され、前記攪拌翼が、前記処理槽の下方位置に設けられた駆動軸によって回転駆動すべく構成されており、前記処理槽が、前記多孔質材を収容可能な処理槽本体部と、前記処理槽本体部の上方位置に設けられた尿受け部とを有することを特徴としている。
【００１６】
このような構成によれば、従来技術にかかるトイレのように、処理槽を水平方向に貫通して設けられた駆動軸によって回転駆動するのではなく、前記処理槽の下方位置に垂直方向に設けられた前記駆動軸によって回転駆動する。したがって、このような構成によれば、従来技術のように、攪拌翼を駆動させるための駆動手段を処理槽外部に（横並びに）併設させる必要がないため、トイレの小型化を実現することができる。
加えて、処理槽が、処理槽本体部と尿受け部とが一体的に構成されており、この処理槽は、トイレに対して簡単に着脱可能であるため、使用時に汚染される主な部分（処理槽本体部および尿受け部）を簡単に清掃等することができるトイレを得ることが可能となる。また、このような構成にかかるトイレによれば、先にも述べた通り、尿を尿受け部を介して糞とは異なる箇所（例えば、尿容器）に単独で貯留する構成を容易に実現可能である。したがって、このような構成によれば、アンモニアの発生が抑制され、悪臭を発生させる可能性を低減することができる。また、例えば、尿容器内に殺菌剤等を混ぜることによって、雑菌による分解を抑えることができる。
【００１７】
また、本発明にかかるトイレにおいては、前記攪拌翼に設けられた被駆動軸と前記駆動軸とが着脱可能に構成されており、前記被駆動軸を前記駆動軸から離脱させることによって、前記処理槽を取り外すことが可能である構成が好ましい。
【００１８】
この好ましい構成によれば、前記処理槽を簡単に取り外すことが可能であるため、前期処理槽内の内容物（有機廃棄物および多孔質材（例えば、おが屑））の交換・廃棄、および前記処理槽の清掃等を容易に行うことができる
【００１９】
また、本発明にかかるトイレにおいては、前記攪拌翼の回転駆動によって前記多孔質材を流動させ、前記処理槽内における前記多孔質材の表面中央部分を凹状にし得る構成であることが好ましい。つまり、本発明においては、前記処理槽内の前記多孔質材に「渦」を形成するように流動させる構成であることが好ましい。
【００２０】
この好ましい構成によれば、前記多孔質材（例えば、おが屑）の表面に糞が投入された場合、前記多孔質材の渦状の流動によって、糞は前記多孔質材内部に適切に包含されることとなる。また、糞と共に投入されたトイレットペーパについても、同様に、前記多孔質材内部に包含されることとなる。
【００２１】
ここで、前記攪拌翼は前記処理槽の底部に設けられており、前記多孔質材の外部に露出することはない。また、前記攪拌翼によって、前記多孔質材が渦状に流動するため、糞やトイレットペーパ等の有機廃棄物は、適切に前記多孔質材内に包含される。したがって、この好ましい構成によれば、前記攪拌翼に付着した有機廃棄物等が前記多孔質材表面に位置したり、前記多孔質材外部に露出したりすることがない。よって、この好ましい構成によれば、悪臭を発生させる可能性を低減することができる。
【００２２】
また、本発明にかかるトイレにおいては、前記処理槽内に、前記多孔質材の流動状態を制御するガイド板が設けられている構成が好ましい。
【００２３】
この好ましい構成によれば、前記多孔質材が渦状に流動している前記処理槽内に前記ガイド板が設けられているため、前記多孔質材の流動状態がより促進されて、前記多孔質材中の有機廃棄物が効果的に分解処理（微生物分解処理）されることとなる。
【発明の効果】
【００２４】
本発明によれば、有機廃棄物を微生物分解処理するトイレを構成する際に用いられる、種々の特徴を有する処理槽を得ることができる。また、本発明によれば、有機廃棄物の微生物分解処理を行うために設けられた処理槽を容易に着脱することが可能なトイレを得ることができる。さらに、本発明によれば、装置の小型化を図ることが可能なトイレを得ることができる。また、本発明によれば、悪臭の発生を低減可能なトイレを得ることができる。
【発明を実施するための最良の形態】
【００２５】
以下、図面に基づいて、本発明の実施形態を説明する。
【００２６】
＜第一実施形態＞
図１は、本発明の第一実施形態にかかるトイレの概略断面模式図を示したものである。また、図２は、図１に示されたトイレを構成する処理槽の概略図を示したものであって、図２（ａ）は、処理槽の概略断面模式図を示し、図２（ｂ）は、処理槽の上面概略図を示している。本実施形態にかかるトイレ１は、介護等のために移動可能であって、室内に設置可能な構成を有している。
【００２７】
図１に示すように、本実施形態にかかるトイレ１は、本体ケーシング１０、この本体ケーシング１０内に設けられた処理槽２０、処理槽２０の上方位置に設けられた便座４０、および便座４０の上方位置に設けられた蓋部５０等を用いて構成されている。本実施形態においては、処理槽２０とこの処理槽２０内に設けられたおが屑２２（多孔質材）とを用いて、分解処理部が構成されている。
【００２８】
本体ケーシング１０内には、上述した処理槽２０等の他に、尿容器１２が設けられている。この尿容器１２には、本体ケーシング１０の尿受けガイド部１３に連通した尿配管１４が設けられている。また、この尿容器１２は、適宜、本体ケーシング１０から着脱可能に構成されている。
【００２９】
処理槽２０は、処理槽本体部２１と、この処理槽本体部２１の上方位置に設けられた尿受け部３０とを用いて構成されている。また、この処理槽２０には、ヒンジ結合にて可動式（回動自在）に構成された把手２３が設けられている。本実施形態にかかるトイレ１は、必要に応じて、蓋部５０および便座４０を持ち上げて開放した後、把手２３を上方向に持ち上げることによって、本体ケーシング１０内から処理槽２０を簡単に取り外すことができる。
【００３０】
本実施形態にかかる処理槽２０を構成する処理槽本体部２１内には、有機廃棄物を微生物分解処理するために、おが屑２２（本発明の「多孔質材」に相当）が設けられている。処理槽本体部２１内には、おが屑２２が投入されているが、トイレ１の使用に伴い、おが屑２２内には糞等が投入される。そして、この処理槽本体部２１内は、適宜、攪拌・混合処理が行われるため、おが屑２２と糞とは攪拌混合されて（手作業あるいは機械的処理にて）、処理槽本体部２１内の収容物は、単なる「おが屑」ではなく、有機肥料等に使用可能な有機物となる。しかしながら、以下の説明においては、説明の煩雑さを避けるために、糞が投入される前後に関わらず、「おが屑」として説明を行う。
【００３１】
処理槽本体部２１内のおが屑２２は、初期投入時の水分量が４０％〜５０％程度（好ましくは、４０％）に調整されている。これは、風乾おが屑を使用すると初期臭が発生するからである。本実施形態によれば、処理槽本体部２１内において、糞とおが屑２２とが攪拌混合され、糞の水分が適切におが屑２２に吸収される。加えて、このおが屑２２が担体となって好気性の菌が効率的に増殖する。したがって、このような構成によれば、糞に対して効果的に微生物分解処理を施すことが可能となるので、におい、容量、および重量を低減させることができる。つまり、処理槽本体部２１内のおが屑２２と有機廃棄物（糞等）とを含んだ内容物は、においや重量等の少ない有機物とすることができる。この有機物は、有機肥料としての使用が可能である。なお、本実施形態によれば、糞から発生するメチルカプタン、アンモニア、インドール等の臭気ガスはおが屑２２に吸着されるため、においを低減することができる。
【００３２】
尿受け部３０は、上述したように、処理槽本体部２１の上方位置に設けられており、尿投入部３２と、この尿投入部３２に穿孔された尿排出孔３３とを用いて構成されている。本実施形態においては、この尿投入部３２に排泄された尿は、尿投入部３２および尿排出孔３３を介して、処理槽２０外に排出される。より具体的には、尿排出孔３３から排出された尿は、本体ケーシング１０に設けられた尿受けガイド部１３、およびこの尿受けガイド部１３に連通した尿配管１４を介して、尿容器１２に導かれる。尿排出孔３３は、処理槽２０を本体ケーシング１０の適切な位置に装着した状態で、尿受けガイド部１３に連通すべく構成されている。この尿容器１２は、適宜、本体ケーシング１０から着脱可能であるため、所定量以上の尿を収容した後は、本体ケーシング１０から取り外される。そして、収容された尿の廃棄および尿容器１２の洗浄等が行われる。
【００３３】
便座４０は、処理槽２０の上方位置に設けられ、本体ケーシング１０とヒンジ結合（図示省略）されているため、必要に応じて開閉可能である。また、この便座４０には、糞尿を投入可能な開口部４１が設けられている。そして、使用者は、この便座４０に着座した状態で排泄行為等を行い、尿は、開口部４１および尿投入部３２等を経て尿容器１２に導かれ、糞は、開口部４１を経て処理槽本体部２１内に導かれる。なお、この便座４０は、電気ヒータあるいは温水等を用いた「暖房便座」としてもよい。さらに、この便座４０の近傍には、温水洗浄装置を設けてもよい。
【００３４】
蓋部５０は、便座４０の上方位置に設けられ、便座４０とヒンジ結合（図示省略）されているため、必要に応じて開閉可能である。
【００３５】
本実施形態にかかるトイレ１は、以上のように構成されており、上述した構成に基づいて、次のような作用効果を有する。
【００３６】
本実施形態においては、トイレ１を構成する本体ケーシング１０内に設けられた処理槽２０が可動式の把手２３を有し、この把手２３も含めた処理槽２０の全体形状が、いわゆる「バケツ」状の形態を有している。したがって、このような構成を有するトイレ１によれば、蓋部５０および便座４０を開放状態とすることによって、簡単に本体ケーシング１０内から処理槽２０を取り外すことができる。また、本実施形態にかかる処理槽２０は、上述したように、おが屑２２を収容し得る処理槽本体部２１と、尿受け部３０とが一体的に構成されている。したがって、このような構成によれば、本体ケーシング１０内から処理槽２０を簡単に取り外すことが可能となるため、処理槽２０内のおが屑２２の交換作業や、処理槽本体部２１および尿受け部３０の洗浄処理等を容易に行うことができる。
【００３７】
また、本実施形態によれば、尿を尿受け部３０を介して糞とは異なる箇所（尿容器１２）に単独で貯留することが可能となるため、アンモニアの発生が抑制され、悪臭を発生させる可能性を低減することができる。
【００３８】
＜第二実施形態＞
次に、本発明の第二実施形態にかかるトイレに関し、図面に基づいて説明する。
【００３９】
本実施形態にかかるトイレは、図３に示すように、トイレ１を構成する処理槽２０内に、攪拌翼７０等を設けたことを特徴としている。すなわち、本実施形態にかかるトイレ１は、第一実施形態にかかるトイレ１に対して、新たな構成要素（攪拌翼７０等）を加えたものである。そこで、以下においては、第一実施形態と同様の構成要素については、同様の符号を付して説明を行う。また、本実施形態に関する説明を行う場合であっても、必要に応じて、図１および図２を参照する。特に処理槽２０の形状等については、図２を参照する。
【００４０】
図３は、本発明の第二実施形態にかかる有機廃棄物を微生物分解処理する分解処理部を備えたトイレ１（以下、単に「トイレ」ともいう。）の概略断面模式図を示したものであって、この図３においては、トイレ１の便座４０に使用者Ｈが着座した状態を示している。本実施形態にかかるトイレ１は、介護等のために移動可能であって、室内に設置可能な構成を有している。また、図４は、本実施形態にかかるトイレ１を構成する処理槽２０、攪拌翼７０、および駆動手段６０の拡大概略断面模式図を示したものである。
【００４１】
図３に示すように、本実施形態にかかるトイレ１は、本体ケーシング１０、この本体ケーシング１０内に設けられた処理槽２０、処理槽２０の上方位置に設けられた便座４０、便座４０の上方位置に設けられた蓋部５０、処理槽２０内に設けられた攪拌翼７０、および攪拌翼７０を回転駆動させるために設けられた駆動手段６０等を用いて構成されている。
【００４２】
本体ケーシング１０内には、上述した処理槽２０および駆動手段６０等の他に、尿容器１２が設けられている。この尿容器１２には、本体ケーシング１０の尿受けガイド部１３に連通した尿配管１４が設けられている。また、この尿容器１２は、適宜、本体ケーシング１０から着脱可能に構成されている。
【００４３】
本実施形態にかかるトイレ１を構成する処理槽２０は、処理槽本体部２１と、この処理槽本体部２１の上方位置に設けられた尿受け部３０とを用いて構成されている。また、この処理槽２０には、ヒンジ結合にて可動式（回動自在）に構成された把手２３が設けられている。本実施形態にかかるトイレ１は、必要に応じて、蓋部５０および便座４０を持ち上げて開放した後、把手２３を上方向に持ち上げることによって、本体ケーシング１０内から処理槽２０を簡単に取り外すことができる。
【００４４】
処理槽２０を構成する処理槽本体部２１内には、有機廃棄物を微生物分解処理するために、おが屑２２（本発明の「多孔質材」に相当）が設けられている。また、処理槽２０の底面部（内側）には、おが屑２２を攪拌・混合させるために、攪拌翼７０が設けられている。なお、処理槽２０内には、おが屑２２が投入されているが、トイレ１の使用に伴い、おが屑２２内には糞等が投入される。そして、このおが屑２２は、糞と攪拌混合されて、単なる「おが屑」ではなく、有機肥料等に使用可能な有機物となる。しかしながら、以下の説明においては、第一実施形態の場合と同様に、説明の煩雑さを避けるために、糞が投入される前後に関わらず、「おが屑」として説明を行う。
【００４５】
処理槽本体部２１内のおが屑２２は、初期投入時の水分量が４０％〜５０％程度（好ましくは、４０％）に調整されている。これは、風乾おが屑を使用すると初期臭が発生するからである。本実施形態によれば、処理槽２０内において、攪拌翼７０が所定時間毎に回転駆動することによって、処理槽２０内で糞とおが屑２２とが攪拌混合され、糞の水分が適切におが屑２２に吸収される。加えて、このおが屑２２が担体となって好気性の菌が効率的に増殖する。したがって、このような構成によれば、糞に対して効果的に微生物分解処理を施すことが可能となるので、におい、容量、および重量を低減させることができる。つまり、処理槽本体部内２１のおが屑２２と有機廃棄物（糞等）とを含んだ内容物は、においや重量等の少ない有機物とすることができる。この有機物は、有機肥料としての使用が可能である。なお、本実施形態によれば、糞から発生するメチルカプタン、アンモニア、インドール等の臭気ガスはおが屑２２に吸着するため、においを低減することができる。
【００４６】
また、処理槽２０の底面部（外側）には、処理槽２０内のおが屑２２の水分調整を行うために、ヒータ２４が設けられている（図４等参照）。このヒータ２４は、例えば、ニクロムヒータを用いて構成されており、処理槽２０内の温度を４０℃〜６０℃の範囲内に制御する。この温度制御は、おが屑２２内の微生物の発酵促進、おが屑２２の水分調整（蒸発調整）、あるいはおが屑２２内の殺菌処理（雑菌（有害菌）を死滅させるための処理）等のために行われる。なお、これらの図においては、省略しているが、処理槽２０内あるいはその近傍には（本体ケーシング１０内には）、おが屑２２の温度を測定するための温度計が設けられており、その温度計の測定値に基づいて、ヒータ２４がＯＮ／ＯＦＦ制御（あるいは比例制御）されて、処理槽２０内（のおが屑２２）が適切な温度に制御される。
【００４７】
尿受け部３０は、上述したように、処理槽本体部２１の上方位置に設けられており、尿投入部３２と、この尿投入部３２に穿孔された尿排出孔３３とを用いて構成されている。つまり、本実施形態においても、第一実施形態と同様に、処理槽本体部２１と尿受け部３０とが一体的に構成されている。
【００４８】
本実施形態においては、この尿投入部３２に排泄された尿は、尿投入部３２および尿排出孔３３を介して、処理槽２０外に排出される。より具体的には、尿排出孔３３から排出された尿は、本体ケーシング１０に設けられた尿受けガイド部１３、およびこの尿受けガイド部１３に連通した尿配管１４を介して、尿容器１２に導かれる。尿排出孔３３は、処理槽２０を本体ケーシング１０の適切な位置に装着した状態で、尿受けガイド部１３に連通すべく構成されている。この尿容器１２は、適宜、本体ケーシング１０から着脱可能であるため、所定量以上の尿を収容した後は、本体ケーシング１０から取り外される。そして、収容された尿の廃棄および尿容器１２の洗浄等が行われる。
【００４９】
便座４０は、処理槽２０の上方位置に設けられ、本体ケーシング１０とヒンジ結合（図示省略）されているため、必要に応じて開閉可能である。また、この便座４０には、糞尿を投入可能な開口部４１が設けられている。図３に示すように、使用者Ｈは、この便座４０に着座した状態で排泄行為等を行い、尿Ｎは、開口部４１および尿投入部３２等を経て尿容器１２に導かれ、糞Ｂは、開口部４１を経て処理槽本体部２１内に導かれる。なお、この便座４０は、電気ヒータあるいは温水等を用いた「暖房便座」としてもよい。さらに、この便座４０の近傍には、温水洗浄装置を設けてもよい。
【００５０】
蓋部５０は、便座４０の上方位置に設けられ、便座４０とヒンジ結合（図示省略）されているため、必要に応じて開閉可能である。例えば、この蓋部５０には、開閉センサ（図示省略）が設けられており、蓋部５０を開放状態とすると同時に、処理槽２０内に設けられた攪拌翼７０が回転駆動すべく構成されている。また、蓋部５０を閉止状態とすると、処理槽２０内に設けられた攪拌翼７０を一定時間回転駆動させるべく（定期攪拌すべく）構成されている。
【００５１】
先にも述べた通り、図４は、本実施形態にかかるトイレ１を構成する処理槽２０、攪拌翼７０、および駆動手段６０の拡大概略断面模式図を示したものである。また、図５は、図４のＶ部領域（破線領域）の部分拡大断面図を示したものであって、図５（ａ）は、駆動軸６３と被駆動軸９１とが装着状態にある図を示し、図５（ｂ）は、駆動軸６３と被駆動軸９１とが離脱状態にある図を示している。
【００５２】
この図４に示すように、本実施形態にかかるトイレ１は、処理槽本体部２１内のおが屑２２を攪拌処理するために、処理槽２０の底面２０Ａの内面側に攪拌翼７０が設けられている。また、この処理槽２０の底面２０Ａの外面側には、攪拌翼７０を回転駆動させるための駆動軸６３が設けられている。
【００５３】
駆動手段６０は、駆動軸６３と、制御部６１と、電動モータおよび減速機等からなる駆動部６２等とを用いて構成されており、必要に応じて、各種のギヤ、チェーン、ホイール等も用いられる。つまり、この駆動手段６０は、駆動軸６３を適宜、必要な回転数にて回転駆動させるべく構成されておれば、どのような態様としてもよい。本実施形態においては、駆動手段６０は、駆動軸６３を用いて、攪拌翼７０を７ｒｐｍ〜１５ｒｐｍ程度の回転数で回転駆動させるべく構成されている。この回転速度あるいは回転数は、制御部６１によって制御される。
【００５４】
なお、この制御部６１は、攪拌翼７０の回転制御の他に、必要に応じて、ヒータ２４の温度制御、処理槽本体部２１内のおが屑２２の水分管理等を行うべく構成されている。例えば、処理槽２０の下方位置に重量計（図示省略）を設け、糞Ｂが投入されたことによる増加重量から残滓分の推定演算（糞Ｂ＝残滓＋水分＋分解成分（水＋二酸化炭素））を行って、適切な水分量を保持するように、ヒータ２４あるいは攪拌翼７０の制御（温度制御、回転制御）を行うべく、制御部６１が構成されている。つまり、制御部６１には、重量、温度等が入力され、この入力値に基づいて、制御部６１は、ヒータ２４や攪拌翼７０を制御可能に構成されている。
【００５５】
攪拌翼７０は、図４等に示すように、処理槽２０の底面２０Ａの内面側に設けられており、被駆動軸９１とボルト部９４とを用いて、被駆動軸９１に固着されている。そして、駆動軸６３からの回転駆動力を被駆動軸９１を介して受け、底面２０Ａに沿うように、回転駆動する。より具体的には、処理槽２０の底面２０Ａに設けられた被駆動軸９１は、軸受け部９２にて保持され、この軸受け部９２と底面２０Ａとの間には、シール部材９３が設けられている。また、この図５等においては省略しているが、軸受け部９２には、被駆動軸９１との接触部分に、ボールベアリング等が設けられている。
【００５６】
本実施形態によれば、図５に示すように、攪拌翼７０側の被駆動軸９１と、駆動手段６０側の駆動軸６３とが、容易に着脱することができるように構成されている。本実施形態においては、たとえば、駆動軸６３の凸部の断面は、六角形等の多角形形状に形成されており、被駆動軸９１の凹部の断面は、駆動軸６３に対応した形状（駆動軸６３が六角形であれば、これに対応して六角形）に形成されている。つまり、駆動軸６３と被駆動軸９１とは、嵌合自在に構成されている。
【００５７】
本実施形態にかかるトイレ１は、以上のように構成されており、上述した構成に基づいて、次のような作用効果を有する。以下、上述した図１〜図５に加えて、図６〜図８を用い、本実施形態にかかるトイレ１の作用効果を説明する。
【００５８】
ここで、図６は、本実施形態にかかるトイレ１における処理槽２０（を構成する処理槽本体部２１）内のおが屑２２の流動状態を説明するための概略断面模式図であって、図６（ａ）が初期状態を示す図、図６（ｂ）が所定時間流動した後の状態を示す図である。また、図７は、本実施形態にかかるトイレ１を構成する攪拌翼７０を説明するための概略図であって、図７（ａ）は側面図を示し、図７（ｂ）は図７（ａ）の上面図を示し、図７（ｃ）は図７（ａ）の矢視線VII方向側面図を示している。さらに、図８は、本実施形態にかかるトイレ１を構成する攪拌翼７０の展開図を示している。なお、図７（ｂ）における矢印Ｗは、処理槽２０内における攪拌翼７０の回転方向を示している。この図７（ｂ）に示すように、本実施形態にかかる攪拌翼７０は、トイレ１の上方から見て時計方向に回転駆動する。
【００５９】
本実施形態にかかるトイレ１は、上述したように、有機廃棄物を微生物分解処理する分解処理部を備えたトイレであって、分解処理部が、処理槽２０と、処理槽２０内に設けられたおが屑２２と、処理槽２０の底部（底面２０Ａの内面側）に設けられた攪拌翼７０とを用いて構成され、攪拌翼７０が、処理槽２０の下方位置（底面２０Ａの外面側）に設けられた駆動軸６３によって回転駆動すべく構成されている。
【００６０】
つまり、本実施形態にかかるトイレ１を構成する処理槽２０内の攪拌翼７０は、従来技術にかかるトイレのように、処理槽を水平方向に貫通して設けられた駆動軸によって回転駆動するのではなく、処理槽２０の下方位置に垂直方向に設けられた駆動軸６３によって回転駆動する。このような構成によれば、従来技術のように、攪拌翼を駆動させるための駆動手段を処理槽外部に（横並びに）併設させる必要がない。したがって、本実施形態によれば、トイレ１の小型化を実現することができる。
【００６１】
また、本実施形態にかかるトイレ１は、攪拌翼７０に設けられた被駆動軸９１と、上述した駆動軸６３とが着脱可能に構成されており、被駆動軸９１を駆動軸６３から離脱させることによって、図５にて説明したように、処理槽２０を取り外すことが可能である。
【００６２】
また、本実施形態にかかるトイレ１は、攪拌翼７０の回転駆動によって処理槽２０内のおが屑２２を流動させ、処理槽２０内におけるおが屑２２の表面中央部分を凹状となるように構成されている。
【００６３】
つまり、本実施形態によれば、攪拌翼７０を回転駆動させることによって、処理槽２０内のおが屑２２に「渦」を形成するように流動させ、処理槽２０内におけるおが屑２２の表面中央部分２２Ｂを凹状としている（図６（ｂ）参照）。処理槽２０内におが屑２２を投入した初期状態（図６（ａ）参照）においては、おが屑２２の表面２２Ａはほぼ平坦な状態であるが、この状態から攪拌翼７０を回転駆動させることによって、おが屑２２は処理槽２０の内側から外側に流動させられ、おが屑２２全体が「渦」状に流動する。すなわち、図６（ｂ）の矢印Ｓに示すように、攪拌翼７０によって処理槽２０の内側から外側に押し出されたおが屑２２は、処理槽２０の側面２０Ｂに達した後に、処理槽２０の側面２０Ｂに沿って上昇し、ある程度上方に達した後に、処理槽２０の中央部に向かって流動（流下）することとなる。
【００６４】
このような構成によれば、おが屑２２の表面（平坦表面２２Ａあるいは凹状表面２２Ｂ）に糞Ｂが投入された場合、おが屑２２の渦状の流動によって、糞Ｂはおが屑２２内部に適切に包含されることとなる。また、糞Ｂと共に投入されたトイレットペーパについても、同様に、おが屑２２内部に包含されることとなる。
【００６５】
本実施形態にかかるトイレ１によれば、上述したように、攪拌翼７０は、常におが屑２２の内部に位置し、おが屑２２外部に露出することはない。また、攪拌翼７０によって、おが屑２２が渦状に流動するため、糞Ｂやトイレットペーパ等の有機廃棄物は、適切におが屑２２内に包含される。したがって、本実施形態によれば、攪拌翼７０に付着した有機廃棄物等がおが屑２２表面に位置したり、おが屑２２外部に露出したりすることがない。よって、本実施形態によれば、悪臭を発生させる可能性を低減することができる。
【００６６】
また、攪拌翼７０の回転駆動によって、おが屑２２内に効果的に空気（酸素）の供給を行うことができる。したがって、おが屑２２内における微生物分解処理を活性化することができる。加えて、攪拌翼７０の回転駆動によって、おが屑２２の乾燥処理にも寄与することとなる。
【００６７】
ところで、上述したような「渦」状の流動形態をおが屑２２に発生させるために、本実施形態にかかる攪拌翼７０は、図７に示すように構成されている。また、この図７に示した本実施形態にかかる攪拌翼７０は、図８の展開部材８０を用いて構成されている。
【００６８】
図８に示す展開部材８０は、ステンレス等の板状部材を打ち抜いて構成されたものであり、実線部分が切り込み線、破線部分が折り曲げ線（谷折線あるいは山折線）となる。
【００６９】
図８の中央部８９（図７における中央部７９に相当）を固定した状態で、第一展開部８１を第一山折線８１ａに沿って約９０度折り曲げて、第一谷折線８１ｂに沿って約１３５度折り曲げることによって、図７の第一翼部７１が形成される。また、中央部８９を固定した状態で、第五展開部８５を第五山折部８５ａに沿って約４５度折り曲げて、第五展開部８５を固定した状態で、第四展開部８４を第四谷折線８４ｂに沿って約４５度折り曲げることによって、図７の第五傾斜翼部７５および第四平板翼部７４が形成される。また、第四展開部８４を固定した状態で、第二展開部８２を第二谷折線８２ｂに沿って約２５度折り曲げて、第三展開部８３を第三山折線８３ａに沿って約２５度折り曲げることによって、図７の第二翼部７２および第三翼部７３が形成される。
【００７０】
本実施形態によれば、以上のように構成された攪拌翼７０の中央部７９に穿孔された取付孔７９Ａに被駆動軸９１を挿通させ、この被駆動軸９１とボルト部９４とによって、攪拌翼７０が固定されている。そして、このように構成された攪拌翼７０を用いることによって、上述したように、処理槽２０内のおが屑２２を内側から外側に押し出して、おが屑２２に、「渦」状の流動形態を発生させることができる。なお、本実施形態にかかる攪拌翼７０は、処理槽２０の上方位置から見て図７（ｂ）のように取り付けられており、この状態で時計回り（矢印Ｗ方向）に回転駆動して、おが屑２２に、「渦」状の流動形態を発生させる。
【００７１】
また、本実施形態にかかるトイレ１においても、第一実施形態と同様に、処理槽２０は、おが屑２２を収容し得る処理槽本体部２１と、尿受け部３０とが一体的に構成されている。また、この処理槽２０は可動式の把手２３を有し、この把手２３も含めた処理槽２０の全体形状が、いわゆる「バケツ」状の形態を有している。
【００７２】
したがって、このような構成を有するトイレ１によれば、蓋部５０および便座４０を開放状態とすることによって、簡単に本体ケーシング１０内から処理槽２０を取り外すことができる。このように、本体ケーシング１０内から処理槽２０を簡単に取り外すことが可能となれば、処理槽２０内の内容物（有機廃棄物およびおが屑２２）の交換・廃棄作業や、処理槽本体部２１および尿受け部３０の清掃・洗浄処理等を容易に行うことができる。
【００７３】
なお、本実施形態においては、第一実施形態と異なり、処理槽２０内に攪拌翼７０を有するが、図５等を用いて説明したように、この攪拌翼７０の被駆動軸９１と駆動手段６０側の駆動軸６３とは簡単に着脱することができる。したがって、上述したような処理槽２０の着脱作業に対して、処理槽２０内の攪拌翼７０は、何ら妨げにはならない。
【００７４】
さらに、本実施形態においては、第一実施形態と同様に、尿を尿受け部３０を介して糞とは異なる箇所（尿容器１２）に単独で貯留することが可能となるため、アンモニアの発生が抑制され、悪臭を発生させる可能性を低減することができる。なお、この尿容器１２内に殺菌剤等を混ぜることによって、雑菌による分解を抑えることができる。また、この尿容器１２内の尿Ｎは、二日程度で廃棄することが好ましい。
【００７５】
＜第三実施形態＞
次に、本発明の第三実施形態にかかるトイレに関し、図面に基づいて説明する。
【００７６】
図９は、本発明の第三実施形態にかかる有機廃棄物を微生物分解処理する分解処理部を備えたトイレ１（以下、単に「トイレ」ともいう。）の概略断面模式図を示したものである。また、図１０は、図９のトイレ１を構成する処理槽の概略図を示したものであって、図１０（ａ）は図９の矢視線Ｘ方向から見た処理槽の概略図を示し、図１０（ｂ）は図９の上面から見た処理槽の概略上面図を示している。なお、この図１０においては、図面の煩雑化を避けるために、説明に必要な処理槽２０の主要部以外の構成要素（トイレ１を構成する他の要素やおが屑等）の記載については省略している。
【００７７】
本実施形態にかかるトイレ１は、基本的に第二実施形態にて説明したトイレ１と同様の構成を有しており、その構成要素として、おが屑２２の流動状態を制御するガイド板９０を処理槽２０内に設けた点のみが異なる。
【００７８】
そこで、以下においては、第二実施形態と同様の構成要素については同様の符号を付してその説明を割愛し、主に第三実施形態の特徴的部分について説明する。
【００７９】
図９および図１０に示すように、本実施形態にかかるトイレ１を構成する処理槽２０の側面２０Ｂには、ガイド板９０が設けられている。このガイド板９０は、図１０（ａ）に示すように、所定の傾斜角度θ（水平面に対する傾斜角度θ）を有すべく、処理槽２０の側面２０Ｂに設けられている。このガイド板９０の傾斜角度θは、例えば、１０°〜４５°程度であることが好ましい。また、この傾斜角度θは、２０°程度であることがより好ましい。
【００８０】
本実施形態にかかるガイド板９０は、攪拌翼７０の回転方向に沿って、ガイド板９０が「高」から「低」に傾斜するように、処理槽２０の側面２０Ｂに取り付けられている。つまり、ガイド板９０の取り付け状態と攪拌翼７０の回転方向との関係については、ガイド板９０の上方端部９０ａ（図１０（ａ）の左上方に位置する端部９０ａ）から、ガイド板９０の下方端部９０ｂ（図１０（ａ）の右下方に位置する端部９０ｂ）の方向に対して、攪拌翼７０が回転駆動することとなる。これを換言すれば、図１０（ｂ）において、攪拌翼７０は時計方向に回転駆動することとなる。
【００８１】
本実施形態によれば、以上のように、処理槽２０内部にガイド板９０が設けられているため、おが屑２２の流動状態がより促進されて、おが屑２２中の有機廃棄物が効果的に分解処理（微生物分解処理）されることとなる。
【００８２】
攪拌翼７０の回転駆動によって混合攪拌されるおが屑２２は、先に図６等を用いて説明した通り、処理槽２０の内側から外側に流動させられ、おが屑２２全体が「渦」状に流動する。すなわち、図６（ｂ）の矢印Ｓに示すように、攪拌翼７０によって処理槽２０の内側から外側に押し出されたおが屑２２は、処理槽２０の側面２０Ｂに達した後に、処理槽２０の側面２０Ｂに沿って上昇し、ある程度上方に達した後に、処理槽２０の中央部に向かって流動（流下）することとなる。
【００８３】
これに対し、本実施形態においては、この流動しているおが屑２２と接触すべくガイド板９０が設けられており、このガイド板９０によって、処理槽２０の側面２０Ｂに沿って上昇してきたおが屑２２が処理槽２０の側面２０Ｂの下方位置に押し戻される。つまり、本実施形態によれば、ガイド板９０を設けることによって、単に攪拌翼７０の回転駆動と重力とによって渦状に回転・上下動していたおが屑２２に対して、側面２０Ｂの下方向に対してその動きを制御する、強制的な「力」を作用させることが可能となる。これによって、上述したように、おが屑２２の流動状態がより促進されて、おが屑２２中の有機廃棄物が効果的に分解処理（微生物分解処理）される。
【００８４】
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００８５】
上記実施形態においては、多孔質材としておが屑を用いる場合について説明したが、本発明はこの構成に限定されず、例えば、わら、籾殻、椰子殻等の植物系材料や、活性炭、ゼオライト等の無機材料等を用いることも可能である。
【００８６】
また、上記第三実施形態においては、ガイド板９０を一つ設ける場合について説明したが、本発明はこの構成に限定されるものではなく、必要に応じて、複数のガイド板を設けてもよい。
【図面の簡単な説明】
【００８７】
【図１】本発明の第一実施形態にかかるトイレの概略断面模式図を示したものである。
【図２】図１に示されたトイレを構成する処理槽の概略図を示したものであって、図２（ａ）は、処理槽の概略断面模式図を示し、図２（ｂ）は、処理槽の上面概略図を示している。
【図３】本発明の第二実施形態にかかる有機廃棄物を微生物分解処理する分解処理部を備えたトイレの概略断面模式図を示したものである。
【図４】本発明の第二実施形態にかかるトイレを構成する処理槽、攪拌翼、および駆動手段の拡大概略断面模式図を示したものである。
【図５】図４のＶ部領域（破線領域）の部分拡大断面図を示したものであって、図５（ａ）は、駆動軸と被駆動軸とが装着状態にある図を示し、図５（ｂ）は、駆動軸と被駆動軸とが離脱状態にある図を示している。
【図６】本発明の第二実施形態にかかるトイレにおける処理槽内のおが屑の流動状態を説明するための概略断面模式図であって、図６（ａ）が初期状態を示す図、図６（ｂ）が所定時間流動した後の状態を示す図である。
【図７】本発明の第二実施形態にかかるトイレを構成する攪拌翼を説明するための概略図であって、図７（ａ）は側面図を示し、図７（ｂ）は図７（ａ）の上面図を示し、図７（ｃ）は図７（ａ）の矢視線VII方向側面図を示している。
【図８】本発明の第二実施形態にかかるトイレを構成する攪拌翼の展開図を示している。
【図９】本発明の第三実施形態にかかる有機廃棄物を微生物分解処理する分解処理部を備えたトイレの概略断面模式図を示したものである。
【図１０】図９のトイレを構成する処理槽の概略図を示したものであって、図１０（ａ）は図９の矢視線Ｘ方向から見た処理槽の概略図を示し、図１０（ｂ）は図９の上面から見た処理槽の概略上面図を示している。
【符号の説明】
【００８８】
１…トイレ
１０…本体ケーシング、１２…尿容器、１３…尿受けガイド部、１４…尿配管
２０…処理槽、２０Ａ…処理槽底面、２０Ｂ…処理槽側面、２１…処理槽本体部、２２…おが屑、２３…把手、２４…ヒータ
３０…尿受け部、３２…尿投入部、３３…尿排出孔
４０…便座、４１…開口部
５０…蓋部
６０…駆動手段、６１…制御部、６２…駆動部、６３…駆動軸
７０…攪拌翼、７１…第一翼部、７２…第二翼部、７３…第三翼部、７４…第四平板翼部、７５…第五傾斜翼部、７９…中央部、７９Ａ…取付孔
８０…展開部材、８１…第一展開部、８２…第二展開部、８３…第三展開部、８４…第四展開部、８５…第五展開部、８９…中央部
９１…被駆動軸、９２…軸受け部、９３…シール部材、９４…ボルト部
【図１】
2007037898.tif 000003
【図２】
2007037898.tif 000004
【図３】
2007037898.tif 000005
【図４】
2007037898.tif 000006
【図５】
2007037898.tif 000007
【図６】
2007037898.tif 000008
【図７】
2007037898.tif 000009
【図８】
2007037898.tif 000010
【図９】
2007037898.tif 000011
【図１０】
2007037898.tif 000012